(57)【要約】【課題】従来、サラウンド回路において、左右の位相差および周波数によっては、そのシステム構成上、レベルが増強されすぎてしまい、回路のダイナミックレンジを越えてしまい信号がクリップされるという問題点があった。【解決手段】音声回路に付加されるサラウンド回路において、サラウンド効果レベルを可変する機能と、かつ前記効果レベルを可変する機能の制御信号を発生するための入力レベル検出・積分器と、前記チャンネルレベル検出器のレベルを比較する２つのレベル比較器とからなるサラウンド効果レベル制御回路。本発明に係るサラウンド効果レベル制御回路により、信号レベルの変化に応じて全体の音量レベルそのものが変化することなく、かつ回路のダイナミックレンジを越えないように、自動的に信号のクリップを防止することができる。【選択図】図２
2005354444.tif 000002
【特許請求の範囲】
【請求項１】
音声回路に付加されるサラウンド回路において、サラウンド効果レベルを可変する機能と、かつ前記効果レベルを可変する機能の制御信号を発生するための入力レベル検出器と、前記チャンネルレベル検出器のレベルを比較する２つのレベル比較器とからなるサラウンド効果レベル制御回路。
【発明の詳細な説明】
【技術分野】
【０００１】
本発明は、サラウンド回路におけるサラウンド効果レベルを自動的に制御する機能に関するものである。
【背景技術】
【０００２】
従来、サラウンド回路において、入力音声信号の左右の位相差および周波数によっては、そのシステム構成上、レベルが増強されすぎてしまい、回路のダイナミックレンジを越えてしまい信号がクリップされるという問題点があった。
【０００３】
そこでこの問題を解決するために、サラウンド信号処理された後の信号レベルを可変する技術が提案されている。
【０００４】
以下、図１を参照しながら、特許文献１に示されており、サラウンド信号処理された後の信号レベルを可変する方法を説明する。
【０００５】
マトリックス回路１から得られる左音声信号Ｌと右音声信号Ｒとの差分信号（Ｌ−Ｒ）の増減を検出して検出コントロール信号ｄを出力する検出・積分回路５を設ける。
【０００６】
この検出・積分回路５からの検出コントロール信号ｄが、メイン音量調整器４からのメイン音量コントロール信号ｍとともにミキシング回路６に入力される。ミキシング回路６にて検出コントロール信号ｄとメイン音量コントロール信号ｍとをミキシングして音量コントロール信号ｃを作り、この音量コントロール信号ｃを音量調整アッテネータ回路３に入力する。以上のような構成により、信号内容の変化による音量の変化を自動的に調整することができる。
【特許文献１】特開平４−２９８２００号公報
【発明の開示】
【発明が解決しようとする課題】
【０００７】
しかしながら、この方法ではサラウンド信号処理された後の信号レベルを可変するので、信号の内容によっては信号レベルの変化に応じて全体の音量レベルそのものが変化するという短所を有している。
【０００８】
前記に鑑み、本発明は、信号レベルの変化に応じて全体の音量レベルそのものが変化することなく、かつ回路のダイナミックレンジを越えないように、自動的に信号のクリップを防止することを目的とする。
【課題を解決するための手段】
【０００９】
前記の目的を達成するため、本発明に係るサラウンド効果レベル制御回路は、左音声信号Ｌと右音声信号Ｒの大小判別をしてその大きい方のレベルを出力する２信号検出・積分回路１５を設ける。その検出信号を、第１の信号レベル比較器９と第２の信号レベル比較器１０とに入力する。第１の信号レベル比較器９は、ある設定されたレベル以上になると、サラウンド効果が減衰する方向になるように検出コントロール信号ｄを制御する。一方、第２の信号レベル比較器１０は、ある設定されたレベル以下になると、サラウンド効果が増強する方向になるように検出コントロール信号ｅを制御する。この２つの検出コントロール信号は、ミキシング回路６に入力される。ミキシング回路６にて音量コントロール信号ｃを作り、この音量コントロール信号ｃを音量調整アッテネータ３に入力する。以上のような構成により、信号内容の変化による音量の変化を自動的に調整することができる機能を備えている。
【００１０】
本発明に係るサラウンド効果レベル制御回路によると、信号の内容によってサラウンド信号処理された後の信号レベルを可変するのではないので、信号レベルの変化に応じて全体の音量レベルそのものが変化することなく、かつ回路のダイナミックレンジを越えないように、自動的に信号のクリップを防止することができる。
【発明の効果】
【００１１】
本発明に係るサラウンド効果レベル制御回路によると、信号の内容によってサラウンド信号処理された後の信号レベルを可変するのではないので、信号レベルの変化に応じて全体の音量レベルそのものが変化することなく、かつ回路のダイナミックレンジを越えないように、自動的に信号のクリップを防止することができる。
【発明を実施するための最良の形態】
【００１２】
（第１の実施形態）
以下、本発明のサラウンド効果レベル制御回路について、図面を参照しながら説明する。
【００１３】
まず、図２に示すように、左音声信号Ｌと右音声信号Ｒの大小判別をしてその大きい方のレベルを出力する２信号検出・積分回路１５を設ける。その検出信号を、第１の信号レベル比較器９と第２の信号レベル比較器１０とに入力する。第１の信号レベル比較器９は、ある設定されたレベル以上になると、サラウンド効果が減衰する方向になるように検出コントロール信号ｄを制御する。一方、第２の信号レベル比較器１０は、ある設定されたレベル以下になると、サラウンド効果が増強する方向になるように検出コントロール信号ｅを制御する。この２つの検出コントロール信号は、ミキシング回路６に入力される。ミキシング回路６にて音量コントロール信号ｃを作り、この音量コントロール信号ｃを音量調整アッテネータ３に入力する。以上のような構成により、信号内容の変化による音量の変化を自動的に調整することができる機能を備えている。
【００１４】
第１の実施形態によると、信号の内容によってサラウンド信号処理された後の信号レベルを可変するのではないので、信号レベルの変化に応じて全体の音量レベルそのものが変化することなく、かつ回路のダイナミックレンジを越えないように、自動的に信号のクリップを防止することができる。
【産業上の利用可能性】
【００１５】
本発明にかかるサラウンド効果レベル制御回路は、信号の内容によってサラウンド信号処理された後の信号レベルを可変するのではないので、信号レベルの変化に応じて全体の音量レベルそのものが変化することなく、かつ回路のダイナミックレンジを越えないように、自動的に信号のクリップを防止することができる機能を有し、テレビ音声回路やオーディオ機器の音声信号処理回路等として有用である。
【図面の簡単な説明】
【００１６】
【図１】従来の実施形態に係るサラウンド回路における自動音量調整装置のブロック図
【図２】第１の実施形態に係るサラウンド効果レベル制御回路を示す図
【符号の説明】
【００１７】
１  マトリックス回路
２  遅延または移相器
３  音量調整ＡＴＴ
６  ミキシング回路
７、８  信号加算器
９  第１の信号レベル比較器
１０  第２の信号レベル比較器
１１  左音声入力Ｌ
１２  右音声入力Ｒ
１３  左音声出力Ｌ
１４  右音声出力Ｒ
１５  ２信号検出・積分器
【図１】
2005354444.tif 000003
【図２】
2005354444.tif 000004